(57)【要約】【課題】防水機能を有するコネクタを小型にする。【解決手段】端子５が収容される複数の端子収容室３を有するインナーハウジング２と、インナーハウジング２の後方側に配置され、各端子５に接続される電線Ｗが配置される複数の電線挿通孔１１を有し、各電線挿通孔１１の内面が各電線Ｗに密着するシール部材１０と、インナーハウジング２及びシール部材１０が収容され、ハウジング収容室２１の内周面とインナーハウジング２及びシール部材１０の外周面との間に相手ハウジング挿入エリアＥを形成するアウターハウジング２０とを備えたコネクタ１であって、アウターハウジング２０内には、インナーハウジング２及びシール部材１０を保持する保持ロッド２３が突設され、相手ハウジング５０が相手ハウジング挿入エリアＥの挿入完了位置では、シール部材１０の外周面が相手ハウジング５０の内周面に密着される。【選択図】図３
2015050178.tif 000002
【特許請求の範囲】
【請求項１】
各端子が収容される複数の端子収容室を有し、前記端子収容室の電線引出側より前記端子が挿入されて前記端子収容室に収容されるインナーハウジングと、
前記インナーハウジングの電線引出側に配置され、前記各端子に接続される各電線がそれぞれ配置される複数の電線挿通孔を有し、前記各電線挿通孔の内面が前記各電線に密着するシール部材と、
前記インナーハウジング及び前記シール部材が収容され、ハウジング収容室の内周面と前記インナーハウジング及び前記シール部材の外周面との間に相手ハウジング挿入エリアを形成するアウターハウジングとを備えたコネクタであって、
前記アウターハウジングには、前記インナーハウジング及び前記シール部材を保持する保持ロッドが突設され、
前記相手ハウジングが前記相手ハウジング挿入エリアの挿入完了位置では、前記シール部材の外周面が前記相手ハウジングの内周面に密着されることを特徴とするコネクタ。
【請求項２】
請求項１記載のコネクタであって、
前記保持ロッドは、撓み変形可能に設けられたことを特徴とするコネクタ。
【請求項３】
請求項１又は請求項２記載のコネクタであって、
前記保持ロッドは、前記相手ハウジング挿入エリアより内側領域に配置されたことを特徴とするコネクタ。
【請求項４】
請求項１〜請求項３のいずれかに記載のコネクタであって、
前記インナーハウジングは、前記端子収容室と共にショート端子収容室を有し、前記ショート端子収容室より後方で、且つ、前面側から見て前記ショート端子収容室の投影領域に、前記保持ロッドが挿入するロッド挿入孔が設けられたことを特徴とするコネクタ。
【発明の詳細な説明】
【技術分野】
【０００１】
本発明は、防水機能を有するコネクタに関する。
【背景技術】
【０００２】
防水機能を有するコネクタが従来より種々提案されている。第１従来例（特許文献１参照）として図７に示すものがある。このコネクタ１００は、各端子（図示せず）が収容される複数の端子収容室１０２を有するコネクタハウジング１０１と、複数の電線挿通孔１１１を有するシール部材１１０と、複数の電線挿通孔１２１を有するシールホルダ１２０とを備えている。コネクタハウジング１０１には、複数の保持ロッド１０３が設けられている。各保持ロッド１０３がシール部材１１０のロッド挿入孔１１２とシールホルダ１２０のロッド挿入孔（図示せず）に挿入されている。シール部材１１０は、コネクタハウジング１０１とシールホルダ１２０に挟持されることによって保持されている。電線（図示せず）が接続された端子（図示せず）は、シールホルダ１２０の電線挿通孔１２１及びシール部材１１０の電線挿通孔１１１を通してコネクタハウジング１０１の端子収容室１０２に収容される。電線は、シール部材１１０の電線挿通孔１１１とシールホルダ１２０の電線挿通孔１２１を通って外部に引き出される。
【０００３】
第２従来例（特許文献２参照）として図８に示すものがある。このコネクタ１３０は、第１従来例と同様に、各端子（図示せず）が収容される複数の端子収容室１３２を有するコネクタハウジング１３１と、複数の電線挿通孔１４１を有するシール部材１４０と、複数の電線挿通孔１５１を有するシールホルダ１５０とを備えている。コネクタハウジング１３１には、保持ロッド１３３が設けられている。各保持ロッド１３３がシール部材１４０のロッド挿入孔１４２とシールホルダ１５０の挿入溝１５２に挿入されている。シール部材１４０は、コネクタハウジング１３１とシールホルダ１５０に挟持されることによって保持されている。電線（図示せず）が接続された端子（図示せず）は、シールホルダ１５０の電線挿通孔１５１及びシール部材１４０の電線挿通孔１４１を通してコネクタハウジング１３１の端子収容室１３２に収容される。電線は、シール部材１４０の電線挿通孔１４１とシールホルダ１５０の電線挿通孔１５１を通って外部に引き出される。
【０００４】
第１従来例及び第２従来例共に、端子に接続された電線がシール部材１１０，１４０の電線挿通孔１１１，１４１に配置され、シール部材１１０，１４０の電線挿通孔１１１，１４１の内周面が電線に密着し、これによって各電線引出箇所からの水の浸入が防止されている。又、シール部材１１０，１４０の外周面が外部に嵌合される嵌合ハウジングの内周面に密着し、双方のハウジング間の隙間からの水の浸入が防止されている。嵌合ハウジングは、第１従来例ではバスバー体（図示せず）を覆うキャップ（図示せず）であり、第２従来例では相手コネクタハウジング（図示せず）である。
【０００５】
このように第１及び第２従来例では、シール部材１１０，１４０が複数の電線引出箇所を一括防水すると共に嵌合ハウジングとの間の防水を行い、部品点数の削減が図られている。
【先行技術文献】
【特許文献】
【０００６】
【特許文献１】特許第３３６２６９８号公報
【特許文献２】特許第４５９１２２８号公報
【発明の概要】
【発明が解決しようとする課題】
【０００７】
しかしながら、防水機能を有する各従来例では、シール部材１１０，１４０はコネクタハウジング１０１，１３１とシールホルダ１２０，１５０で挟持することによって位置決め保持されている。そのため、コネクタ１００，１３０には、シールホルダ１２０，１５０の設置スペースを確保する必要があり、コネクタ１００，１３０が大型化するという問題があった。
【０００８】
そこで、本発明は、前記した課題を解決すべくなされたものであり、防水機能を有するコネクタにあって、その小型化を図ることができるコネクタを提供することを目的とする。
【課題を解決するための手段】
【０００９】
本発明は、各端子が収容される複数の端子収容室を有し、前記端子収容室の電線引出側より前記端子が挿入されて前記端子収容室に収容されるインナーハウジングと、前記インナーハウジングの電線引出側に配置され、前記各端子に接続される各電線がそれぞれ配置される複数の電線挿通孔を有し、前記各電線挿通孔の内面が前記各電線に密着するシール部材と、前記インナーハウジング及び前記シール部材が収容され、ハウジング収容室の内周面と前記インナーハウジング及び前記シール部材の外周面との間に相手ハウジング挿入エリアを形成するアウターハウジングとを備えたコネクタであって、前記アウターハウジングには、前記インナーハウジング及び前記シール部材を保持する保持ロッドが突設され、前記相手ハウジングが前記相手ハウジング挿入エリアの挿入完了位置では、前記シール部材の側周面が前記相手ハウジングの内周面に密着されることを特徴とするコネクタである。
【００１０】
前記保持ロッドは、撓み変形可能に設けられたものであっても良い。前記保持ロッドは、前記相手ハウジング挿入エリアより内側領域に配置されたものであっても良い。前記インナーハウジングは、前記端子収容室と共にショート端子収容室を有し、前記ショート端子収容室より後方で、且つ、前面側から見て前記ショート端子収容室の投影領域に、前記保持ロッドが挿入するロッド挿入孔が設けられたものであっても良い。
【発明の効果】
【００１１】
本発明によれば、シール部材がインナーハウジングとアウターハウジングに挟持されることによって位置決め保持されるため、従来例のようなシールホルダが不要であり、部品スペースの削減になる。シール部材が電線のシールのみならず相手ハウジングとの間のシールを行うため、相手ハウジングとの間をシールする専用シール部材が不要であり、部品スペースの削減になる。以上より、防水機能を有するコネクタにあって、その小型化を図ることができる。
【図面の簡単な説明】
【００１２】
【図１】本発明の一実施形態を示し、コネクタの分解斜視図である。
【図２】本発明の一実施形態を示し、コネクタの組み立て状態の斜視図である。
【図３】本発明の一実施形態を示し、（ａ）はコネクタの破断斜視図、（ｂ）は相手コネクタハウジングが挿入完了された状態をコネクタの概略断面図である。
【図４】本発明の一実施形態を示し、（ａ）はコネクタの前面図、（ｂ）コネクタの側面図、（ｃ）はコネクタの後面図である。
【図５】本発明の一実施形態を示し、（ａ）はコネクタハウジングにシール部材とレバーを組み付けた状態の一部破断斜視図、（ｂ）は端子及び電線の配置状態を示すコネクタの要部断面図である。
【図６】本発明の一実施形態を示し、（ａ）は保持ロッドが撓み変形することを説明するためのコネクタハウジングの概略断面図、（ｂ）は相手コネクタハウジングの斜め挿入に対してコネクタハウジングが追従傾斜することを説明するためのコネクタの概略断面図である。
【図７】第１従来例を示し、（ａ）はコネクタの要部断面図、（ｂ）のコネクタハウジングの平面図、（ｃ）はシール部材の正面図である。
【図８】第２従来例を示し、コネクタの要部分解斜視図である。
【発明を実施するための形態】
【００１３】
以下、本発明の一実施形態を図面に基づいて説明する。
【００１４】
図１〜図６は本発明の一実施形態を示す。図１〜図５に示すように、コネクタ１は、インナーハウジング２と、インナーハウジング２の電線引出側である後方側に配置されたシール部材１０と、インナーハウジング２及びシール部材１０が収容されるアウターハウジング２０とを備えている。
【００１５】
インナーハウジング２は、合成樹脂製である。インナーハウジング２は、水平方向と垂直方向に整列して配置された複数の端子収容室３と、端子収容室３の垂直方向の各段の間に配置された複数のショート端子収容室４とを有する。各端子収容室３は、前面側と後面側が開口している。各端子収容室３には、前面側の開口より相手側端子であるオス端子（図示せず）が挿入される。各端子収容室３には、電線引出側である後面側の開口よりメス型の端子５が挿入される。端子収容室３に収容されたメス型の端子５は、インナーハウジング２のランス（図示せず）とリテーナ３０によって二重係止される。リテーナ３０は、端子収容室３への端子５の挿入を許容する仮係止位置と端子収容室３に収容された端子５を係止する本係止位置の間に変位自在に設けられている。
【００１６】
各ショート端子収容室４は、下段の隣り合う２つの端子収容室２を跨ぐように配置されている。各ショート端子収容室４には、前面側の開口よりショート端子６が収容される。収容されたショート端子６は、その一対の接触バネ片６ａが下段の双方の端子５に接触する。これにより、ショート端子６を介して隣り合う端子５間が短絡される。
【００１７】
インナーハウジング２には、ショート端子収容室４より後方で、且つ、前面側から見てショート端子収容室４の投影領域に、下記する保持ロッド２３が挿入するロッド挿入孔７が複数設けられている。インナーハウジング２は、複数の保持ロッド２３によってアウターハウジング２０内に位置決めされた状態で保持されている。
【００１８】
シール部材１０は、扁平直方体で弾性に富んだ部材（例えばゴム材）より形成されている。シール部材１０には、インナーハウジング２の各端子収容室３に対応する位置にそれぞれ電線挿通孔１１が設けられている。各電線挿通孔１１の内面には、複数のリップ部１１ａ（図５（ｂ）に示す）が突設されている。各電線挿通孔１１には、端子５に接続された電線Ｗが配置される。電線挿通孔１１の内面と電線Ｗの外面は、複数のリップ部１１ａにより密着され、これによりコネクタ１の複数の電線引出箇所からの水の浸入を一括して防止している。シール部材１０の外周面には、全周に亘ってリップ部１１ｂが複数状突設されている。
【００１９】
シール部材１０には、下記する保持ロッド２３に対応する位置にロッド挿入孔１２がそれぞれ設けられている。シール部材１０は、複数の保持ロッド２３によってアウターハウジング２０内に位置決めされた状態で保持されている。
【００２０】
アウターハウジング２０は、合成樹脂製で、前面が開口されたほぼ箱形状である。アウターハウジング２０は、前面側よりインナーハウジング２及びシール部材１０が収容されるハウジング収容室２１と、前面側と共に後面側が開口され、後面側よりレバー４０がセットされるレバー収容室２２とを有する。アウターハウジング２０の後壁２０ａには、ハウジング収容室２１に突出する複数の保持ロッド２３が設けられている。複数の保持ロッド２３は、下記する相手ハウジング挿入エリアＥより内側位置でハウジング収容室２１に突出する。各保持ロッド２３は、後壁２０ａに基端が固定され、先端が自由端である片持ち形態である。各保持ロッド２３は、図６（ａ）にて矢印で示すように、撓み変形できる円柱寸法である。各保持ロッド２３の先端部には、係止爪２３ａが設けられている。この係止爪２３ａは、インナーハウジング２とシール部材１０への完全挿入位置でインナーハウジング２に係止する。これにより、インナーハウジング２及びシール部材１０がアウターハウジング２０より脱落しないよう保持される。
【００２１】
インナーハウジング２及びシール部材１０は、図３（ｂ）に示すように、アウターハウジング２０の内周面とインナーハウジング２及びシール部材１０の外周面との間に、相手ハウジング挿入エリアＥが形成された状態で保持される。相手ハウジング５０が相手ハウジング挿入エリアＥの挿入完了位置では、シール部材１０の外周面のリップ部１１ｂが相手ハウジング５０の内周面に密着し、これにより相手ハウジング５０とインナーハウジング２間の隙間からの水の浸入を防止する。相手ハウジング５０は、アウターハウジング２０とシール部材１０の間に挟持されるため、シール部材１０が確実に相手ハウジング５０に密着し、高い防水性を発揮する。
【００２２】
アウターハウジング２０の後壁２０ａには、インナーハウジング２の端子収容室３及びシール部材１０の電線挿通孔１１に対向する位置に、複数の電線挿通孔２４が形成されている。
【００２３】
レバー収容室２２にはレバー４０が揺動自在に配置される。レバー４０によって、低挿入力で相手ハウジング５０を相手ハウジング挿入エリアＥに挿入できる。
【００２４】
次に、コネクタ１の組み付け手順を簡単に説明する。アウターハウジング２０にレバー４０が装着された状態とする。先ず、図５（ａ）に示すように、アウターハウジング２０の保持ロッド２３にシール部材１０のロッド挿入孔１２を位置合わせし、アウターハウジング２０のハウジング収容室２１にシール部材１０を挿入する。
【００２５】
次に、アウターハウジング２０の保持ロッド２３にインナーハウジング２のロッド挿入孔７を位置合わせし、インナーハウジング２をアウターハウジング２０のハウジング収容室２１に挿入する。尚、リテーナ３０は、仮係止位置にセットされている。
【００２６】
次に、電線Ｗが接続された端子５を、アウターハウジング２０の後壁２０ａの外側よりアウターハウジング２０の電線挿通孔２４及びシール部材１０の電線挿通孔１１に通し、インナーハウジング２の端子収容室３まで挿入する。全ての端子５を各端子収容室３に挿入すると、リテーナ３０を仮係止位置から本係止位置に移動する。各端子５は、インナーハウジング２のランス（図示せず）とリテーナ３０によって係止され、引き抜き方向の移動が阻止される。又、端子５が接続された電線Ｗは、シール部材１０の電線挿通孔１１及びアウターハウジング２０の電線挿通孔２４より外部に引き出される。電線Ｗは、シール部材１０の電線挿通孔１１の位置では、その内面より突設されたリップ部１１ｂに密着され、これにより全ての電線引出箇所からの水の浸入が防止される。
【００２７】
全ての端子５を挿入した後過程において、ショート端子６をインナーハウジング２の所望のショート端子収容室４に挿入する。これで、コネクタ１の組立作業が完了する。
【００２８】
次に、コネクタ１に対する相手ハウジング５０の挿入作業を説明する。相手ハウジング５０を相手ハウジング挿入エリアＥに位置合わせし、レバー４０の作用ポイントまで相手ハウジング５０を相手ハウジング挿入エリアＥに挿入する。次に、レバー４０を回転操作する。すると、レバー４０の挿入力によって相手ハウジング５０が相手ハウジング挿入エリアＥの奥へと徐々に挿入され、挿入完了位置まで挿入すれば完了する。挿入完了位置では、相手側の端子（図示せず）と端子５が適正に接触し、導通状態となる。相手ハウジング５０が相手ハウジング挿入エリアＥに挿入完了位置では、図３（ｂ）に示すように、シール部材１０の外周面のリップ部１１ｂが相手ハウジング５０の内周面に密着される。
【００２９】
以上説明したように、アウターハウジング２０には、インナーハウジング２及びシール部材１０を保持する保持ロッド２３が突設されている。従って、シール部材１０がインナーハウジング２とアウターハウジング２０に挟持されることによって保持されるため、従来例のようなシールホルダが不要であり、部品スペースの削減になる。又、相手ハウジング５０が相手ハウジング挿入エリアＥに挿入完了位置では、シール部材１０の外周面が相手ハウジング５０の内周面に密着される。従って、シール部材１０が電線Ｗのシールのみならず相手ハウジング５０との間のシールを行うため、相手ハウジング５０との間をシールする専用シール部材が不要であり、部品スペースの削減になる。以上より、防水機能を有するコネクタ１の小型化を図ることができる。
【００３０】
各保持ロッド２３は、撓み変形可能に設けられている。従って、図６（ｂ）に示すように、アウターハウジング２０に対するインナーハウジング２の傾斜が保持ロッド２３の撓み変形とシール部材１０の圧縮弾性変形によって可能であるため、相手ハウジング５０が傾斜して挿入された際、インナーハウジング２が相手ハウジング５０との干渉（どつき）を軽減し、解消する方向に変移できるため、コネクタ挿入力を軽減でき、又、双方の端子５，（図示せず）間のこじり・どつきをも軽減できる。
【００３１】
保持ロッド２３は、相手ハウジング挿入エリアＥより内側領域に配置されている。従って、保持ロッド２３の設置がコネクタ１の大型化を招来しない。これにより、コネクタ１の小型化に寄与する。
【００３２】
インナーハウジング２は、端子収容室３と共にショート端子収容室４を有し、ショート端子収容室４より後方で、且つ、前面側から見てショート端子収容室４の投影領域に、保持ロッド２３が挿入するロッド挿入孔７が設けられている。従って、ショート端子収容室４を有するインナーハウジング２にあって、ショート端子収容室４の後方位置はデッドスペースであり、そのデッドスペースを利用したため、ロッド挿入孔７の設置がインナーハウジング２、ひいてはコネクタ１の大型化を招来しない。これにより、コネクタ１の小型化に寄与する。
【００３３】
相手ハウジング５０が挿入される方向に対して、インナーハウジング２、シール部材１０、アウターハウジング２０の後壁２０ａの順に配置されているので、相手ハウジング５０等からの外力（荷重）をインナーハウジング２に作用してもシール部材１０の弾性変形で吸収できるため、相手ハウジング５０等からの外力によるインナーハウジング２へのダメージを低減できる。
【００３４】
この実施形態では、保持ロッド２３が挿入されるロッド挿入孔７は、ショート端子収容室４より後方で、且つ、前面側から見てショート端子収容室４の投影領域に設けられているが、それ以外の位置に設けても良い。つまり、ロッド挿入孔７の設置位置は自由に決定可能であり、例えば端子収容室３の一部を潰して設置しても良い。又、本発明は、ショート端子収容室４を有しないコネクタ、つまり、全てのタイプのコネクタに適用可能である。
【００３５】
この実施形態では、保持ロッド２３は、１２本であるが、その本数は問わない。保持ロッド２３の本数、寸法等は、インナーハウジング２の設置条件等によって決定される。この実施形態では、保持ロッド２３は、円柱ロッド形であるが、種々の形態が考えられる。
【符号の説明】
【００３６】
１  コネクタ
２  インナーハウジング
３  端子収容室
４  ショート端子収容室
５  端子
７  ロッド挿入孔
１０  シール部材
１１  電線挿通孔
２０  アウターハウジング
２１  ハウジング収容室
２３  保持ロッド
５０  相手ハウジング
Ｅ  相手ハウジング挿入エリア
Ｗ  電線
【図１】
2015050178.tif 000003
【図２】
2015050178.tif 000004
【図３】
2015050178.tif 000005
【図４】
2015050178.tif 000006
【図５】
2015050178.tif 000007
【図６】
2015050178.tif 000008
【図７】
2015050178.tif 000009
【図８】
2015050178.tif 000010